(57)【要約】【課題】  部品点数を削減すると共に構造を簡単にし、また製造を容易にしてコスト低減が図れるアイドリング調整装置を提供する。【解決手段】  混合気が流れるアイドル通気路７のアイドルポート部分８に、混合気の流出量を調整するアイドル調整部材１０が装着され、アイドル調整部材１０の一端部には斜めに切られた斜切断端部１１が設けられ、他端頭部１２にはドライバ用切込溝１３が形成される共に、アイドル調整部材１０は接着剤１６により所定の調整位置で固定されている。【選択図】    図１
2006257891.tif 000002
【特許請求の範囲】
【請求項１】
混合気が流れるアイドル通気路のアイドルポート部分に、前記混合気の流出量を調整するアイドル調整部材が装着され、該アイドル調整部材の一端部には斜めに切られた斜切断端部が設けられ、他端頭部には回転工具用切込溝が形成される共に、前記アイドル調整部材は接着剤により所定の調整位置で固定されていることを特徴とするアイドリング調整装置。
【請求項２】
前記アイドル調整部材はリベット状部材で構成され、該部材の一端部には楕円形の切断面を有する斜切断端部が設けられ、他端頭部にはドライバ用切込溝が形成されている請求項１記載のアイドリング調整装置。
【請求項３】
前記アイドル調整部材はリベット状部材で構成され、該部材の一端部には略半楕円形の切断面を有する斜切断端部が設けられ、他端頭部にはドライバ用切込溝が形成されている請求項１記載のアイドリング調整装置。
【発明の詳細な説明】
【技術分野】
【０００１】
本発明は、アイドリング（遊転）時、エンジンに供給する混合気の流出量を調整するアイドリング調整装置に関するものである。
【背景技術】
【０００２】
エンジンの気化器には、通気路の絞り弁（スロットルバルブ）が閉じられたアイドリング時に、シリンダ内に混合気を供給するために、バイパスしてアイドル通気路が設けられている。そのアイドル通気路のアイドルポート部分には、アイドリング調整装置（アイドル調整ねじ）が備えられている。
【０００３】
かかるアイドリング調整装置は、雄ねじ部材で構成されて、一端部が細く尖った針状端部を有し、他端頭部に−又は＋のドライバ用切込溝が形成されたもので、アイドルポート部分に穿設された取付孔に螺着されている（例えば、気化器の理論と実際、Ｐ４５の第２６図  内部通気方式気化器）。そして、アイドリング調整装置をドライバなどの操作具で回転させて、アイドリング時の混合気の流出量を調整している。
ところで、従来のアイドリング調整装置は雄ねじ部材で構成され、一端部には針状に尖った形状の端部が設けられているので、加工が難しく、また構造的にも複雑になっている。
【０００４】
また、ある種の気化器においては、アイドル調整位置はエンジンの回転を維持するだけでなく、燃費や排気ガスの問題が関与することからユーザーが不用意にアイドリング調整装置の調整位置を変えないようにするために、アイドリング調整装置の取付孔にタンパーキャップを冠着して封鎖することが行われており、不用意に調整位置が変えられるのを防止するために、取付孔にタンパーキャップが冠着されている。従って、部品点数も多く、コスト高となっていた。
【非特許文献１】気化器の理論と実際  吉田  隆著  鉄道日本社発行                        （１９９９年１０月２９日  第８刷発行）
【発明の開示】
【発明が解決しようとする課題】
【０００５】
本発明は、上記のような問題点を解決しようとするものであり、部品点数を削減すると共に構造を簡単にし、また製造を容易にしてコスト低減が図れるアイドリング調整装置を提供することを目的としている。
【課題を解決するための手段】
【０００６】
そこで、前記課題を解決するため、本発明であるアイドリング調整装置は、混合気が流れるアイドル通気路のアイドルポート部分に、前記混合気の流出量を調整するアイドル調整部材が装着され、該アイドル調整部材の一端部には斜めに切られた斜切断端部が設けられ、他端頭部には回転工具用切込溝が形成される共に、前記アイドル調整部材は接着剤により所定の調整位置で固定されていることを特徴とする。
【０００７】
また、前記発明において、前記アイドル調整部材はリベット状部材で構成され、該部材の一端部には楕円形の切断面を有する斜切断端部が設けられ、他端頭部にはドライバ用切込溝が形成され、更には前記アイドル調整部材はリベット状部材で構成され、該部材の一端部には略半楕円形の切断面を有する斜切断端部が設けられ、他端頭部にはドライバ用切込溝が形成されていると更によい。
【発明の効果】
【０００８】
本発明によれば、アイドル調整部材は斜めに切られた斜切断端部が設けられているので、アイドリングの流出量調整時、そのアイドル調整部材を回転すれば、切断面部が移動して開口面が漸次変化し、流出量が変えられる。また、アイドル調整部材は、所定の調整位置で接着剤より固定されており、調整位置を不用意に変えられるのを防止できる。従って、封鎖用のタンパーキャップなどの別部品を冠着する必要がなくなって、部品点数が削減される。
アイドル調整部材は、その一端部が斜めに切った単なる斜切断端部であるから、加工が容易であり、構造も簡単になってコスト低減が図れる。
【０００９】
また、前記アイドル調整部材はリベット状部材で構成され、該部材の一端部には楕円形の切断面を有する斜切断端部が設けられ、他端頭部にはドライバ用切込溝が形成され手いる場合には、アイドル調整部材はリベット部材の一端部に楕円形の切断面を有する斜切断端部が設けられ、他端頭部にドライバ用切込溝が形成されたものであるから、加工は難しくなく容易であり、構造も簡単でコスト低減になる。また、楕円形の切断面は切断面部が比較的広く、アイドル流出量の微調整がし易い。
【００１０】
前記アイドル調整部材はリベット状部材で構成され、該部材の一端部には略半楕円形の切断面を有する斜切断端部が設けられ、他端頭部にはドライバ用切込溝が形成されている場合には、アイドル調整部材はリベット部材の一端部に略半楕円形の切断面を有する斜切断端部が設けられ、他端頭部にドライバ用切込溝が形成されたものであるから、前項と同様に加工は難しくなく、構造も簡単でコスト低減になる。また、略半楕円形の切断面を有する斜切断端部は、その先端部と取付孔との接触面積が比較的大きくなることから、アイドル調整部材は安定した装着状態になる。
【発明を実施するための最良の形態】
【００１１】
以下、図面に示した本発明の実施の形態について説明する。
【００１２】
図１は、本発明の一実施の形態に係るアイドリング調整装置を備えた気化器の断面図、図２（ａ）は図１の要部拡大断面図、図２（ｂ）はそのアイドル調整部材の斜視図である。
【００１３】
この実施形態のアイドリング調整装置１を備えた気化器２は、通気路３の途中にベンチュリ４が設けられ、そのベンチュリ４の上流側に空気弁（チョークバルブ）５が設けられ、下流側に絞り弁（スロットルバルブ）６が設けられている。通気路３の側部には、絞り弁６が閉じられたアイドリング時にシリンダに混合気を供給するために、バイパスしてアイドル通気路７が設けられている。アイドリング調整装置１のアイドル調整部材１０は、このアイドル通気路７のアイドルポート部分８に、装着されている。
【００１４】
アイドル調整部材１０は、リベット状部材で構成され、一端部には斜めに切断された楕円形の切断面９を有する斜切断端部１１が設けられ、他端頭部１２には−印のドライバ用切込溝１３が形成されている。アイドル調整部材１０は、アイドルポート部分８に穿設された垂直方向の取付孔１４に垂直に装着される。
【００１５】
アイドリング時には、通気路３の上流側からアイドル通気路７に空気が導かれ、一方フロート室１５からアイドル通気路７に燃料が導かれて、混合気がアイドル通気路７を通って通気路３の下流側に流れて、その後シリンダ側に供給される。
【００１６】
アイドリング時の混合気流出量の調整は、ドライバ操作により調整される。即ち、アイドル調整部材１０を回転させると、アイドル調整部材１０の楕円形切断面部９が回転移動して開口面が漸次変化し、流出量が変えられる。
そこで、適切な流出値になった回転位置で停止する。調整後、アイドル調整部材１０を接着剤１６で固定する。この固定により、調整位置が保持され、またユーザー等による調整位置を不用意に変えられるのを防止できる。
【００１７】
このアイドル調整部材１０は、勿論リベット部材の他端頭部１２に−印のドライバ用切込溝１３を形成するが、リベット部材の一端部に楕円形の切断面９を有する斜切断端部１１を設ければよいことから、加工は容易であり、構造も簡単になる。また、タンパーキャップなどを冠着する必要もないことからから、部品点数も削減される
【００１８】
図３は、本発明の他の実施形態に係るアイドリング調整装置で、（ａ）その装置の備えた部分の断面図、（ｂ）はそのアイドル調整部材の斜視図である。
このアイドル調整部材１７はリベット状部材で構成され、その部材の一端部には略半楕円形の切断面１８を有する斜切断端部１９が設けられ、他端頭部２１には−印のドライバ用切込溝２２が形成されている。アイドル調整部材１７は、アイドルポート部分２３に穿設された水平方向の取付孔２４に水平に装着され、その後適切な流出量なる調整が行われて、その調整位置で接着剤２５で固定される。アイドリング調整装置２０は、このように構成されている。
【００１９】
アイドリング調整装置２０のアイドル調整部材１７は、前記実施の形態と同様に加工が容易で、構造も簡単になる。また、この場合、斜切断端部１９の先端部と取付孔２４との接触面積が比較的大きくなって、アイドル調整部材１７が安定した装着になる。
【００２０】
前記実施の形態は、アイドル調整部材の他端頭部には−印のドライバ用切込溝が形成されているが、＋印や多角形印その他の回転工具用切込溝にすることができる。
また本発明は、必要によっては、アイドル調整部材が接触する取付孔の壁面とアイドル調整部材自体にねじを設けて螺着する方式を採用することもできる。この場合は、接着剤がねじ部にも浸透して固着力がより増大する。
【図面の簡単な説明】
【００２１】
【図１】本発明の一実施の形態に係るアイドリング調整装置を備えた気化器の断面図である。
【図２】（ａ）は図１の要部拡大断面図、（ｂ）はアイドル調整部材の斜視図である。
【図３】本発明の他の実施形態に係るアイドリング調整装置で、（ａ）その装置を備えた部分の断面図、（ｂ）はそのアイドル調整部材の斜視図である。
【符号の説明】
【００２２】
１，２０  アイドリング調整装置、  ７  アイドル通気路、  ８，２３  アイドルポート部分、  ９  楕円形の切断面、  １０，１７  アイドル調整部材、  １１，１９  斜切断端部、  １２，２１  他端頭部、  １３，２２  ドライバ用切込溝、  １４，２４  取付孔、  １６，２５  接着剤、  １８  略半楕円形の切断面
【図１】
2006257891.tif 000003
【図２】
2006257891.tif 000004
【図３】
2006257891.tif 000005